【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
ワイヤレス通信装置を動作させる方法であって、
基地局から信号を受信することと、
前記信号の第１の状態に応答してセル特定パラメータ又は前記信号の第２の状態に応答してユーザ特定パラメータを選択することと、
前記選択されたパラメータに応答してアップリンク基準信号を生成することと、
を含む、方法。
【請求項２】
請求項１に記載の方法であって、
前記ユーザ特定パラメータが仮想セル識別パラメータである、方法。
【請求項３】
請求項２に記載の方法であって、
前記仮想セル識別パラメータでベースシーケンスを生成するために第１の擬似ランダムシーケンス生成器を初期化することと、
前記仮想セル識別パラメータでサイクリックシフトホッピングシーケンスを生成するために第２の擬似ランダムシーケンス生成器を初期化することと、
前記ベースシーケンスと前記サイクリックシフトホッピングシーケンスとから生成された前記アップリンク基準信号を送信することと、
を更に含む、方法。
【請求項４】
請求項１に記載の方法であって、
前記セル特定パラメータが前記基地局によりサービスされるセルに共通である、方法。
【請求項５】
請求項１に記載の方法であって、
前記基準信号を物理的アップリンク制御チャネル（ＰＵＣＣＨ）で送信することを更に含む、方法。
【請求項６】
請求項１に記載の方法であって、
前記基準信号がサウンディング基準信号（ＳＲＳ）である、方法。
【請求項７】
請求項１に記載の方法であって、
チャネル状態情報レポートを送信するためのアップリンク制御領域を決定するために専用ユーザ特定アップリンク制御リソース割り当てパラメータでユーザ機器を構築することと、
スケジューリングリクエストとハイブリッドオートリピートリクエスト（ＨＡＲＱ）アクノリッジメントレポートとを送信するために前記アップリンク制御領域を決定することと、
を更に含む、方法。
【請求項８】
請求項１に記載の方法であって、
アップリンク制御情報をアップリンク制御チャネルで送信するためにリソースブロックを決定することを更に含む、方法。
【請求項９】
請求項８に記載の方法であって、
前記アップリンク制御情報が、ハイブリッドオートマチックリピートリクエストアクノリッジメント（ＨＡＲＱ−ＡＣＫ）とチャネル状態情報レポートとスケジューリングリクエストとの１つである、方法。
【請求項１０】
請求項９に記載の方法であって、
前記ＨＡＲＱ−ＡＣＫが、前の制御信号スケジューリングダウンリンクデータ送信とセミパーシステントにスケジュールされたダウンリンクデータ送信との１つに応答する、方法。
【請求項１１】
請求項１に記載の方法であって、
サウンディング基準信号を送信するために時間・周波数リソースを決定するために専用サウンディング基準信号（ＳＲＳ）リソース割り当てパラメータでユーザ機器を構築することを更に含む、方法。
【請求項１２】
請求項１１に記載の方法であって、
前記ＳＲＳリソース割り当てパラメータが、ＳＲＳ帯域幅構成と、ＳＲＳサブフレーム構成と、サブフレーム内でハイブリッドオートリピートリクエストアクノリッジメントとＳＲＳとの同時送信が許可されるか否かの指示と、ランダムアクセスプリアンブルを送信するために割り当てられた多数のリソースと、のうちの１つ又は複数を含む、方法。
【請求項１３】
請求項１に記載の方法であって、
サウンディング基準信号（ＳＲＳ）ＩＤのｎＩＤが前記信号の前記第１の状態である、方法。
【請求項１４】
請求項１に記載の方法であって、
物理的アップリンク制御チャネル（ＰＵＣＣＨ）ＩＤのｎＩＤが前記信号の前記第２の状態である、方法。
【請求項１５】
請求項１３に記載の方法であって、
前記セル特定パラメータがサウンディング基準信号（ＳＲＳ）グループからのシーケンスとストット数ｎＳのためのサイクリックシフトとを含む、方法。
【請求項１６】
請求項１４に記載の方法であって、
前記ユーザ特定パラメータが、物理的アップリンク制御チャネル（ＰＵＣＣＨ）グループからのシーケンス０とスロット数ｎＳのためのサイクリックシフトとを含む、方法。
【請求項１７】
請求項１に記載の方法であって、
前記基地局からの信号が無線リソース制御（ＲＲＣ）信号である、方法
【請求項１８】
ワイヤレス通信装置を動作させる方法であって、
信号を受信することと、
前記信号の第１の状態に応答してセル特定パラメータ又は前記信号の第２の状態に応答してユーザ特定パラメータを選択することと、
前記選択されたパラメータに応答してアップリンク基準信号を生成することと、
を含む、方法。
【請求項１９】
請求項１８に記載の方法であって、
前記信号が無線リソース制御（ＲＲＣ）信号である、方法。
【請求項２０】
ワイヤレス通信装置を動作させる方法であって、
基地局から信号を受信することと、
前記信号の中に物理的アップリンク制御チャネル（ＰＵＣＣＨ）又はサウンディング基準信号（ＳＲＳ）ＩＤのｎＩＤが存在するかを決定することと、
前記信号の中にｎＩＤが存在する場合にベースシーケンスグループとシーケンスとサイクリックシフトホッピングシーケンスに対してｎＩＤで疑似ランダム数発生器を初期化することと、
前記信号の中にｎＩＤが存在しない場合にベースシーケンスグループとシーケンスとサイクリックシフトホッピングシーケンスに対して前記基地局に関連する物理的セル識別（ＰＣＩＤ）で疑似ランダム数発生器を初期化することと、
前記信号の第１の状態に応答してセル特定パラメータ又は前記信号の第２の状態に応答してユーザ特定パラメータを選択することと、
前記選択されたパラメータに応答してアップリンク基準信号を生成することと、
を含む、方法。
【請求項２１】
請求項２０に記載の方法であって、
前記基地局からの信号が無線リソース制御（ＲＲＣ）信号である、方法。
【請求項２２】
ワイヤレス無線装置を動作させる方法であって、
基地局により送信される信号からセル特定パラメータを受信することと、
より高次の層がユーザ特定パラメータを提供しない場合に前記セル特定パラメータを用いてアップリンク基準信号を生成することと、
より高次の層がユーザ特定パラメータを提供する場合にユーザ特定パラメータを用いてアップリンク基準信号を生成することと、
を含む、方法。
【請求項２３】
ワイヤレス無線装置を動作させる方法であって、
基地局により送信される信号からセル特定パラメータを受信することと、
ユーザ特定パラメータを含むことが可能なより高次の層の信号を受信することと、
ユーザ特定パラメータが有効でない場合に前記セル特定パラメータを用いてアップリンク基準信号を生成することと、
ユーザ特定パラメータが有効である場合にユーザ特定パラメータを用いてアップリンク基準信号を生成することと、
を含む、方法。
【請求項２４】
ワイヤレス無線装置を動作させる方法であって、
基地局により送信される信号からセル特定パラメータを受信することと、
ユーザ特定パラメータを含むことが可能なより高次の層の信号を受信することと、
ユーザ特定パラメータが有効でない場合に前記セル特定パラメータを用いて物理的アップリンク制御チャネル（ＰＵＣＣＨ）上での送信のために基準信号を生成することと、
ユーザ特定パラメータが有効である場合にユーザ特定パラメータを用いて前記ＰＵＣＣＨ上での送信のために基準信号を生成することと、
を含む、方法。
【請求項２５】
ワイヤレス無線装置を動作させる方法であって、
基地局により送信される信号からセル特定パラメータを受信することと、
ユーザ特定パラメータを含むことが可能なより高次の層の信号を受信することと、
ユーザ特定パラメータが有効でない場合に前記セル特定パラメータを用いて物理的アップリンク共有チャネル（ＰＵＳＣＨ）上での送信のために基準信号を生成することと、
ユーザ特定パラメータが有効である場合にユーザ特定パラメータを用いて前記ＰＵＳＣＨ上での送信のために基準信号を生成することと、
を含む、方法。